(57)【要約】【課題】消費電力削減のためのキーバックライト用ＬＥＤの点灯／非点灯制御に使用している光センサを、カメラの自動フラッシュＯＮ／ＯＦＦ制御に流用することで、新規に部品を追加することなく、且つユーザーが特別な操作なしで、暗所でのフラッシュ撮影をスムーズに行えるようにする。【解決手段】キーバックライト点灯制御用の光センサ６および暗闇でのカメラ撮影時の照度を確保するためのフラッシュ用ＬＥＤ５を有するカメラ付き携帯電話機で、中央制御部３は、カメラ４の起動を制御するカメラ起動制御部３１と、カメラ４で撮影した画像をメモリ部９に保存するための制御を行う画像保存制御部３２と、光センサ６で測定した周辺照度を判別する周辺照度認識部３４と、周辺照度認識部３４の認識結果に基づきフラッシュ用ＬＥＤ５の点灯制御を行うフラッシュ用ＬＥＤ点灯制御部３５とを備える。【選択図】      図１
2005012609.tif 000002
【特許請求の範囲】
【請求項１】
キーバックライト点灯制御用の光センサおよび暗闇でのカメラ撮影時の照度を確保するためのフラッシュ用発光ダイオードを有するカメラ付き携帯電話機であって、カメラ起動時に前記光センサを使用して周辺照度を測定し前記フラッシュ用発光ダイオードのオン・オフ制御を行う制御手段を備えることを特徴とするカメラ付き携帯電話機。
【請求項２】
前記制御手段は、周辺照度に応じて複数段階の輝度のいずれかで前記フラッシュ用発光ダイオードを点灯させることを特徴とする請求項１記載のカメラ付き携帯電話機。
【請求項３】
前記制御手段は、前記カメラの起動を制御するカメラ起動制御部と、前記カメラで撮影した画像をメモリに保存するための制御を行う画像保存制御部と、前記光センサで測定した周辺照度を判別する周辺照度認識部と、前記周辺照度認識部の認識結果に基づき前記フラッシュ用発光ダイオードの点灯制御を行うフラッシュ用ＬＥＤ点灯制御部とを備えることを特徴とする請求項１または２記載のカメラ付き携帯電話機。
【請求項４】
前記制御手段は、周辺照度の検出間隔を任意に設定するための動作間隔制御部を備えることを特徴とする請求項１〜３いずれか１項に記載のカメラ付き携帯電話機。
【請求項５】
画像の撮影を行うカメラと、前記カメラのファインダーとして使用すると共に携帯電話機を使用するときに必要な情報を表示する表示部と、カメラモード中における撮影操作を行うシャッターキーを含め入力操作を行うためのキー操作部と、前記カメラで撮影した画像を格納すると共に携帯電話機各部を動作させるためのプログラムを格納し情報の書き込み・読み出しが可能なメモリ部と、前記カメラの周辺照度の検出を行う光センサと、前記光センサによる照度検出結果が暗所の場合に前記キー操作部の視認性を確保するためのキー用発光ダイオードおよび暗闇でのカメラ撮影時の照度を確保するためのフラッシュ用発光ダイオードと、前記各部を前記プログラムにより前記各部を制御する中央制御部とを有し、前記中央制御部は、カメラ起動時に前記光センサによる周辺照度測定結果に応じて前記フラッシュ用発光ダイオードのオン・オフ制御を行うことを特徴とするカメラ付き携帯電話機。
【請求項６】
前記中央制御部は、前記カメラの起動を制御するカメラ起動制御部と、前記カメラで撮影した画像をメモリに保存するための制御を行う画像保存制御部と、前記光センサで測定した周辺照度を判別する周辺照度認識部と、前記周辺照度認識部の認識結果に基づき前記フラッシュ用発光ダイオードの点灯制御を行うフラッシュ用ＬＥＤ点灯制御部とを備えることを特徴とする請求項５記載のカメラ付き携帯電話機。
【請求項７】
前記フラッシュ用ＬＥＤ点灯制御部は、前記周辺照度認識部が認識した周辺照度に応じて複数段階の輝度のいずれかで前記フラッシュ用発光ダイオードを点灯させる多段階点灯制御部を備えることを特徴とする請求項６記載のカメラ付き携帯電話機。
【請求項８】
前記中央制御部は、周辺照度の検出間隔を任意に設定するための動作間隔制御部を備えることを特徴とする請求項５〜７いずれか１項に記載のカメラ付き携帯電話機。
【請求項９】
キーバックライト点灯制御用の光センサおよび暗闇でのカメラ撮影時の照度を確保するためのフラッシュ用発光ダイオードを有するカメラ付き携帯電話機におけるフラッシュ撮影方法であって、キーバックライト用発光ダイオードが消灯状態においてキー押下を検出するステップと、前記光センサの出力する電圧レベルから周辺照度を判定するステップと、この判定により周辺照度が明るいと判定した場合に前記キーバックライト用発光ダイオードを非点灯状態に保つステップと、周辺照度が暗いと判定した場合に前記キーバックライト用発光ダイオードを点灯させるステップと、このキーバックライト用発光ダイオードの点灯後キー押下操作が一定時間検出されない場合に前記キーバックライト用発光ダイオードを消灯させ一定時間内にキー押下操作を検出した場合には前記キーバックライト用発光ダイオードの点灯を継続させるステップと、カメラモード起動を識別するステップと、前記周辺照度の判定結果が暗い場合カメラモード起動と同時に前記フラッシュ用発光ダイオードを低輝度で連続点灯させるステップと、カメラ撮影時に前記フラッシュ用発光ダイオードを高輝度で点灯させるステップと、前記判定結果が明るい場合カメラモード起動からこのカメラモード終了時まで前記フラッシュ用発光ダイオードを非点灯にするステップとを有することを特徴とするカメラ付き携帯電話機におけるフラッシュ撮影方法。
【請求項１０】
周辺照度に応じて複数段階の輝度のいずれかで前記フラッシュ用発光ダイオードを点灯制御するステップを有することを特徴とする請求項９記載のカメラ付き携帯電話機におけるフラッシュ撮影方法。
【請求項１１】
周辺照度の検出間隔を操作入力に基づき設定するステップを有することを特徴とする請求項９または１０記載のカメラ付き携帯電話機におけるフラッシュ撮影方法。
【請求項１２】
キーバックライト点灯制御用の光センサおよび暗闇でのカメラ撮影時の照度を確保するためのフラッシュ用発光ダイオードを有するカメラ付き携帯電話機でフラッシュ撮影処理をコンピュータに実行させるためのプログラムであって、キーバックライト用発光ダイオードが消灯状態においてキー押下を検出する処理と、前記光センサの出力する電圧レベルから周辺照度を判定する処理と、この判定により周辺照度が明るいと判定した場合に前記キーバックライト用発光ダイオードを非点灯状態に保つ処理と、周辺照度が暗いと判定した場合に前記キーバックライト用発光ダイオードを点灯させる処理と、このキーバックライト用発光ダイオードの点灯後キー押下操作が一定時間検出されない場合に前記キーバックライト用発光ダイオードを消灯させ一定時間内にキー押下操作を検出した場合には前記キーバックライト用発光ダイオードの点灯を継続させる処理と、カメラモード起動を識別する処理と、前記周辺照度の判定結果が暗い場合カメラモード起動と同時にフラッシュ用発光ダイオードを低輝度で連続点灯させる処理と、カメラ撮影時に前記フラッシュ用発光ダイオードを高輝度で点灯させる処理と、前記判定結果が明るい場合カメラモード起動からこのカメラモード終了時まで前記フラッシュ用発光ダイオードを非点灯にする処理とをコンピュータに実行させるためのプログラム。
【請求項１３】
周辺照度に応じて複数段階の輝度のいずれかで前記フラッシュ用発光ダイオードを点灯制御する処理をコンピュータに実行させるための請求項１２記載のプログラム。
【請求項１４】
周辺照度の検出間隔を操作入力に基づき設定する処理をコンピュータに実行させるための請求項１２または１３記載のプログラム。
【発明の詳細な説明】
【０００１】
【発明の属する技術分野】
本発明はカメラ付き携帯電話機に関し、特にカメラ付き携帯電話機におけるフラッシュ撮影機能に関する。
【０００２】
【従来の技術】
従来、カメラ付き携帯電話機における撮影においては、充分な周辺照度が得られないような暗所でカメラ撮影を行う場合、ユーザーがカメラモード起動後にフラッシュを起動設定したうえで、撮影を行う必要があった。したがって、周囲が撮影するのに充分な照度が得られていない暗所で、すぐに撮影を行いたいというような場面において、フラッシュ起動の操作のために撮影チャンスを逃してしまうようなケースが考えられる。通常このような不具合を解決するためには、照度センサのような周辺照度を測定するための素子を実装し、自動的にフラッシュ起動する機能を持たせることで、暗所での撮影に対応させている。
【０００３】
また、上述した従来の技術に関連する技術として、ストロボ装置を備え被写体をストロボ光で照明して撮影するカメラ付き携帯電話機が開示され（例えば、特許文献１参照）、あるいは周囲の明るさをストロボに付随するフォトトランジスタにより検出し、この情報により液晶モニタのバックライトの輝度を、ユーザーが見やすいように自動調節可能なビデオカメラが開示されている（例えば、特許文献２参照）。
【０００４】
【特許文献１】
特開２００１−３２０６２２号公報（段落番号００３１）
【特許文献２】
特開２００２−０５７９２０号公報（段落番号００１６）
【０００５】
【発明が解決しようとする課題】
上述した従来の手法では、部品追加による実装面積の増加、およびコストアップが発生してしまうという問題があった。また、携帯電話機の多機能化、小型化に伴いできる限り部品追加のない、ユーザーにとって利便性のよいカメラ付き携帯電話機が求められている。
【０００６】
本発明の目的は、消費電力削減のためにキーバックライト用発光ダイオード（Ｌｉｇｈｔ  Ｅｍｉｔｔｉｎｇ  Ｄｉｏｄｅ：ＬＥＤ）の点灯／非点灯制御に使用している光センサを、カメラの自動フラッシュＯＮ／ＯＦＦ（オン・オフ）制御に流用することで、新規に部品を追加することなく、且つユーザーが特別な操作をすることなく、暗所でのフラッシュ撮影をスムーズに行うことが可能なカメラ付き携帯電話機およびそのフラッシュ撮影方法ならびにプログラムを提供することにある。
【０００７】
【課題を解決するための手段】
請求項１に記載の本発明は、キーバックライト点灯制御用の光センサおよび暗闇でのカメラ撮影時の照度を確保するためのフラッシュ用発光ダイオードを有するカメラ付き携帯電話機であって、カメラ起動時に前記光センサを使用して周辺照度を測定し前記フラッシュ用発光ダイオードのオン・オフ制御を行う制御手段を備える。
【０００８】
請求項２に記載の本発明は、請求項１において、前記制御手段は、周辺照度に応じて複数段階の輝度のいずれかで前記フラッシュ用発光ダイオードを点灯させる。
【０００９】
請求項３に記載の本発明は、請求項１または２において、前記制御手段は、前記カメラの起動を制御するカメラ起動制御部と、前記カメラで撮影した画像をメモリに保存するための制御を行う画像保存制御部と、前記光センサで測定した周辺照度を判別する周辺照度認識部と、前記周辺照度認識部の認識結果に基づき前記フラッシュ用発光ダイオードの点灯制御を行うフラッシュ用ＬＥＤ点灯制御部とを備える。
【００１０】
請求項４に記載の本発明は、請求項１〜３いずれか１項において、前記制御手段は、周辺照度の検出間隔を任意に設定するための動作間隔制御部を備える。
【００１１】
請求項５に記載の本発明は、画像の撮影を行うカメラと、前記カメラのファインダーとして使用すると共に携帯電話機を使用するときに必要な情報を表示する表示部と、カメラモード中における撮影操作を行うシャッターキーを含め入力操作を行うためのキー操作部と、前記カメラで撮影した画像を格納すると共に携帯電話機各部を動作させるためのプログラムを格納し情報の書き込み・読み出しが可能なメモリ部と、前記カメラの周辺照度の検出を行う光センサと、前記光センサによる照度検出結果が暗所の場合に前記キー操作部の視認性を確保するためのキー用発光ダイオードおよび暗闇でのカメラ撮影時の照度を確保するためのフラッシュ用発光ダイオードと、前記各部を前記プログラムにより前記各部を制御する中央制御部とを有し、前記中央制御部は、カメラ起動時に前記光センサによる周辺照度測定結果に応じて前記フラッシュ用発光ダイオードのオン・オフ制御を行う。
【００１２】
請求項６に記載の本発明は、請求項５において、前記中央制御部は、前記カメラの起動を制御するカメラ起動制御部と、前記カメラで撮影した画像をメモリに保存するための制御を行う画像保存制御部と、前記光センサで測定した周辺照度を判別する周辺照度認識部と、前記周辺照度認識部の認識結果に基づき前記フラッシュ用発光ダイオードの点灯制御を行うフラッシュ用ＬＥＤ点灯制御部とを備える。
【００１３】
請求項７に記載の本発明は、請求項６において、前記フラッシュ用ＬＥＤ点灯制御部は、前記周辺照度認識部が認識した周辺照度に応じて複数段階の輝度のいずれかで前記フラッシュ用発光ダイオードを点灯させる多段階点灯制御部を備える。
【００１４】
請求項８に記載の本発明は、請求項５〜７いずれか１項において、前記中央制御部は、周辺照度の検出間隔を任意に設定するための動作間隔制御部を備える。
【００１５】
請求項９に記載の本発明は、キーバックライト点灯制御用の光センサおよび暗闇でのカメラ撮影時の照度を確保するためのフラッシュ用発光ダイオードを有するカメラ付き携帯電話機におけるフラッシュ撮影方法であって、キーバックライト用発光ダイオードが消灯状態においてキー押下を検出するステップと、前記光センサの出力する電圧レベルから周辺照度を判定するステップと、この判定により周辺照度が明るいと判定した場合に前記キーバックライト用発光ダイオードを非点灯状態に保つステップと、周辺照度が暗いと判定した場合に前記キーバックライト用発光ダイオードを点灯させるステップと、このキーバックライト用発光ダイオードの点灯後キー押下操作が一定時間検出されない場合に前記キーバックライト用発光ダイオードを消灯させ一定時間内にキー押下操作を検出した場合には前記キーバックライト用発光ダイオードの点灯を継続させるステップと、カメラモード起動を識別するステップと、前記周辺照度の判定結果が暗い場合カメラモード起動と同時に前記フラッシュ用発光ダイオードを低輝度で連続点灯させるステップと、カメラ撮影時に前記フラッシュ用発光ダイオードを高輝度で点灯させるステップと、前記判定結果が明るい場合カメラモード起動からこのカメラモード終了時まで前記フラッシュ用発光ダイオードを非点灯にするステップとを有する。
【００１６】
請求項１０に記載の本発明は、請求項９において、周辺照度に応じて複数段階の輝度のいずれかで前記フラッシュ用発光ダイオードを点灯制御するステップを有する。
【００１７】
請求項１１に記載の本発明は、請求項９または１０において、周辺照度の検出間隔を操作入力に基づき設定するステップを有する。
【００１８】
請求項１２に記載の本発明は、キーバックライト点灯制御用の光センサおよび暗闇でのカメラ撮影時の照度を確保するためのフラッシュ用発光ダイオードを有するカメラ付き携帯電話機でフラッシュ撮影処理をコンピュータに実行させるためのプログラムであって、キーバックライト用発光ダイオードが消灯状態においてキー押下を検出する処理と、前記光センサの出力する電圧レベルから周辺照度を判定する処理と、この判定により周辺照度が明るいと判定した場合に前記キーバックライト用発光ダイオードを非点灯状態に保つ処理と、周辺照度が暗いと判定した場合に前記キーバックライト用発光ダイオードを点灯させる処理と、このキーバックライト用発光ダイオードの点灯後キー押下操作が一定時間検出されない場合に前記キーバックライト用発光ダイオードを消灯させ一定時間内にキー押下操作を検出した場合には前記キーバックライト用発光ダイオードの点灯を継続させる処理と、カメラモード起動を識別する処理と、前記周辺照度の判定結果が暗い場合カメラモード起動と同時にフラッシュ用発光ダイオードを低輝度で連続点灯させる処理と、カメラ撮影時に前記フラッシュ用発光ダイオードを高輝度で点灯させる処理と、前記判定結果が明るい場合カメラモード起動からこのカメラモード終了時まで前記フラッシュ用発光ダイオードを非点灯にする処理とをコンピュータに実行させる。
【００１９】
請求項１３に記載の本発明は、請求項１２において、周辺照度に応じて複数段階の輝度のいずれかで前記フラッシュ用発光ダイオードを点灯制御する処理をコンピュータに実行させる。
【００２０】
請求項１４に記載の本発明は、請求項１２または１３において、周辺照度の検出間隔を操作入力に基づき設定する処理をコンピュータに実行させる。
【００２１】
本発明によれば、カメラ機能付き携帯電話機において、消費電力削減のためにキーＬＥＤの点灯／非点灯の制御用に使用している光センサを流用して、カメラ起動時に周辺照度に応じて自動的にフラッシュのＯＮ／ＯＦＦ制御を行うことにより、部品流用による経済化を図るだけでなく、カメラ撮影時におけるユーザーの利便性を向上させることができる。
【００２２】
【発明の実施の形態】
次に、本発明の実施の形態について図面を参照して詳細に説明する。
【００２３】
図１（ａ）は本発明の携帯電話機における第１の実施の形態を示すブロック図であり、図１（ｂ）は（ａ）における中央制御部での本発明に係わる内部構成を示すブロック図である。また、図２（ａ）は携帯電話機の正面を示す概観図であり、（ｂ）はその背面を示す概観図である。以下に、第１の実施の形態の構成について、図１および図２を参照して説明する。
【００２４】
図１を参照すると、携帯電話機１は、表示部２、中央制御部３、カメラ４、フラッシュ用ＬＥＤ５、光センサ６、キー操作部７、キーＬＥＤ８、メモリ部９を備える。中央制御部３は、マイクロプロッセサ等により構成されるコンピュータ相当の機能を有し、メモリ部９に格納したプログラムにより携帯電話機各部を制御する。中央制御部３は、カメラ起動制御部３１と、画像保存制御部３２と、周辺照度認識部３４と、フラッシュ用ＬＥＤ点灯制御部３５とを備える。カメラ起動制御部３１はカメラ４の起動を制御する。画像保存制御部３２はカメラ４で撮影した画像をメモリ部９に保存するための制御を行う。周辺照度認識部３４は光センサ６で測定した周辺照度を判別する。フラッシュ用ＬＥＤ点灯制御部３５は周辺照度認識部３４の認識結果に基づきフラッシュ用ＬＥＤ５の点灯制御を行う。また、中央制御部３に、周辺照度の検出間隔を任意に設定するための動作間隔制御部３３を備える構成としてもよい。これにより光センサ６の周辺照度検出を、常時動作および必要時のみの間欠動作のいずれにもすることができる。
【００２５】
携帯電話機１はカメラ４を搭載しており、従来の携帯電話機としての機能のほかに画像撮影を行うためのカメラとしての機能も備えている。以下、カメラ４を起動して携帯電話機１をカメラとして使用する状態を「カメラモード」と呼ぶこととする。カメラモード時において、カメラ４から取り込まれた画像データは、中央制御部３を経由して表示部２に表示される。このとき表示部２はカメラのファインダーとして使用されているが、通常使用時においては、携帯電話機１を使用する上で必要な情報である電話番号や電波状況、日付・時刻等の表示を行っている。携帯電話機１の各種設定やカメラモード起動等の各種操作はキー操作部７により行われ、特にカメラモード中における撮影操作についてはシャッターキー１０の押下により行われる。シャッターキー１０の押下により撮影された画像は中央制御部３を経由してメモリ部９に格納される。なお、メモリ部９には携帯電話機１を動作させるためのプログラムやＩＤ情報、および電話番号等の携帯電話機固有の情報に関しても格納されており、任意に書き込み・読み出しが可能であるものとする。
【００２６】
また携帯電話機１は、光センサ６を搭載しており、周辺照度に応じて、暗所でのキー操作部７の視認性を確保するために設けられているキーＬＥＤ８の点灯／非点灯制御を行う機能を有しているほか、カメラ起動時の周辺照度に応じて自動的に撮影時の照度を確保するためのフラッシュ用ＬＥＤ５のＯＮ／ＯＦＦ制御を行う機能も有している。なお、光センサ６は必ずしも一個である必要はなく、複数個であってもよい。光センサ６は周辺照度を検出し、照度に対応した電圧レベルの信号（本実施の形態では、周辺照度が暗いほど電圧レベルが低いものと仮定する。）を中央制御部３に対して出力している。中央制御部３は光センサ６からの信号を受信することで周辺照度をモニタし、予め中央制御部３に設定されているしきい値より電圧レベルが高い場合には”明るい”、低い場合には”暗い”と判定する。なお、電圧レベルのしきい値はユーザー設定により任意に可変できるものとする。
【００２７】
キーＬＥＤ８の制御に関しては、キーＬＥＤ８が消灯した状態でキー操作部７が押下されると、中央制御部３は周辺照度の判定に応じてキーＬＥＤ８の点灯／非点灯制御を行う。これにより、暗い場所ではキーＬＥＤ８を点灯させキー操作部７の視認性を確保し、逆に周囲が明るい場所ではキーＬＥＤ８を消灯することにより、消費電力を削減するように動作する。
【００２８】
一方、フラッシュ用ＬＥＤ５の制御に関しては、カメラモード起動時の周辺照度に応じて、中央制御部３がフラッシュ用ＬＥＤ５のＯＮ／ＯＦＦ制御を行う。本実施の形態においては、周辺照度が明るい場合には、フラッシュ用ＬＥＤ５は常に非点灯となる。逆に、周辺照度が暗い場合には、フラッシュ用ＬＥＤ５はカメラモード起動と同時に低輝度連続点灯し、シャッターキー１０押下のタイミングで高輝度で短時間点灯する。これにより、ユーザーはフラッシュ用ＬＥＤ５のＯＮ／ＯＦＦ設定のための特別な操作を行う必要がないため、暗所あるいは明所に関わらずスムーズに撮影を行うことが可能となる。
【００２９】
次に、本発明の第１の実施の形態の動作について、図１、図３および図４を参照して説明する。
【００３０】
図３はキーＬＥＤ８の点灯／非点灯制御のフローを示したものである。図３を参照すると、まずキーＬＥＤ８が消灯した状態においてキー操作部７が押下されると（ステップ１１：Ｓ１１と略称。以下同様）、光センサ６の出力する電圧レベルから中央制御部３の周辺照度認識部３４が周辺照度を判定する（Ｓ１２）。Ｓ１２において周辺照度認識部３４が暗いと判定した場合はキーＬＥＤ８を点灯させる（Ｓ１３）。そしてＳ１５において、キー操作部７が押下されないまま一定時間経過すると、キーＬＥＤ８を消灯させ（Ｓ１６）、一定時間内にキー操作部７の押下があった場合はキーＬＥＤ８を点灯させ続ける。逆にＳ１２において、周辺照度認識部３４が明るいと判定した場合にはキーＬＥＤ８は非点灯のままとなる（Ｓ１４）。
【００３１】
次に、図４はカメラモード起動時のフラッシュ用ＬＥＤ５のＯＮ／ＯＦＦ制御フローを示したものである。また図５は周辺照度に応じたフラッシュ点灯制御方法の概略を説明するための図である。図４および図５を参照すると、キー操作部７の操作によってカメラモードが起動を開始すると（Ｓ２１）、光センサ６の出力する電圧レベルから周辺照度認識部３４が周辺照度を判定し（Ｓ２２）、この周辺照度認識部３４が暗いと判定した場合は、図５（ｂ）に示すように、カメラモード起動と同時にフラッシュ用ＬＥＤ５を低輝度連続点灯させる（Ｓ２３）。そしてシャッターキー１０の押下による撮影に合わせてフラッシュ用ＬＥＤ５を高輝度で短時間点灯させる（Ｓ２４）。撮影が終了し、カメラモードを終了するとフラッシュ用ＬＥＤ５は消灯する（Ｓ２７）。逆にＳ２２において、周辺照度認識部３４が明るいと判定した場合には、図５（ａ）に示すように、フラッシュ用ＬＥＤ５はカメラモード起動からカメラモード終了に至るまで非点灯のままとなる（Ｓ２５、Ｓ２６、Ｓ２７）。
【００３２】
次に，本発明の第２の実施の形態として、カメラモード時のフラッシュ用ＬＥＤ５の点灯制御に関して、周辺照度に応じて複数段階の輝度で点灯させる場合を説明する。この第２の実施の形態の場合、図６を参照すると、携帯電話機の中央制御部３ａにおいて、フラッシュ用ＬＥＤ点灯制御部３５ａは、周辺照度認識部３４が認識した周辺照度に応じて複数段階の輝度のいずれかでフラッシュ用ＬＥＤ５を点灯させる多段階点灯制御部３５１を備える。この多段階点灯制御部３５１以外は、上述した第１の実施の形態と同様構成なので、説明を省略する。
【００３３】
本第２の実施の形態によれば、まず光センサ６が中央制御部３ａの周辺照度認識部３４に対して周辺照度に対応した電圧レベルの信号（本第２の実施の形態においても、周辺照度が暗ければ暗いほど電圧レベルが低いものと仮定する。）を出力する。周辺照度認識部３４は、受信した信号の電圧レベルから、周辺照度がどの程度のレベル（明るさ）であるかを判定し、予め設定されている基準となる照度より明るいと判定した場合には、図５（ａ）に示すように、カメラモード中フラッシュ用ＬＥＤ５は常に非点灯となる。
【００３４】
一方、基準となる照度より暗いと判定した場合には、暗さのレベルに応じた輝度でフラッシュ用ＬＥＤ５の点灯制御を行うため、カメラモード起動時においては、被写体をファインダーで確認するために最低限必要な輝度値で低輝度連続点灯させ、撮影時においては、被写体を鮮明に撮影するのに最低限必要な輝度値で高輝度短時間点灯させるという制御を行う。つまり同じ暗所での撮影でも、図５（ｂ）のようにある程度の照度が確保できるようなケースと、図５（ｃ）のようにほとんど照度が確保できないケースでは、フラッシュＬＥＤ５を点灯させる際の輝度制御が異なることになる。
【００３５】
これにより、携帯電話機のユーザーが特別な操作をすることなく暗所でのカメラ撮影を行うことができるだけでなく、必要最低限の輝度値でフラッシュ用ＬＥＤ５を点灯させることができるため、カメラ撮影時の消費電力削減の効果も得ることが可能となる。
【００３６】
【発明の効果】
以上説明したように本発明によれば、光センサによる周辺照度検出を行うことにより、周辺照度が撮影するための必要照度に満たない場合に、自動的にフラッシュ撮影モードに移行することができ、ユーザーはキー操作をいっさい行うことなく、スムーズに暗所での撮影を行うことが可能となり、ユーザーにとり極めて利便性のよいカメラ付き携帯電話機が提供される。この機能を構成する際に、消費電力削減のためにキーＬＥＤの点灯／非点灯制御用として設けられているこの光センサを、フラッシュ用ＬＥＤの自動ＯＮ／ＯＦＦ制御にそのまま流用することによって、部品点数・コストの削減を図ることができる。
【図面の簡単な説明】
【図１】（ａ）は本発明の携帯電話機における第１の実施の形態を示すブロック図である。（ｂ）は（ａ）における中央制御部での本発明に係わる内部構成を示すブロック図である。
【図２】（ａ）は本発明の第１の実施の形態における携帯電話機の正面を示す概観図の一例である。（ｂ）は本発明の第１の実施の形態における携帯電話機の背面を示す概観図の一例である。
【図３】本発明の第１の実施の形態におけるキーＬＥＤの動作を説明するためのフローチャートである。
【図４】本発明の第１の実施の形態におけるカメラモード起動時の動作を説明するためのフローチャートである。
【図５】（ａ）はカメラモード起動時における予め設定されている基準となる照度より明るいと判定した場合のフラッシュ用ＬＥＤの輝度状態を説明するための図である。（ｂ）はカメラモード起動時におけるある程度の照度が確保できるような場合のフラッシュ用ＬＥＤの輝度状態を説明するための図である。（ｃ）はカメラモード起動時におけるほとんど照度が確保できない場合のフラッシュ用ＬＥＤの輝度状態を説明するための図である。
【図６】本発明における第２の実施の形態の中央制御部での内部構成を示すブロック図である。
【符号の説明】
１    携帯電話機
２    表示部
３，３ａ    中央制御部
４    カメラ
５    フラッシュ用ＬＥＤ
６    光センサ
７    キー操作部
８    キーＬＥＤ
９    メモリ部
１０    シャッターキー
３１    カメラ起動制御部
３２    画像保存制御部
３３    動作間隔制御部
３４    周辺照度認識部
３５，３５ａ    フラッシュ用ＬＥＤ点灯制御部
３５１    多段階点灯制御部
【図１】
2005012609.tif 000003
【図２】
2005012609.tif 000004
【図３】
2005012609.tif 000005
【図４】
2005012609.tif 000006
【図５】
2005012609.tif 000007
【図６】
2005012609.tif 000008